(57)【要約】【課題】使用者が意図しないチャンネル選択操作が入力されたとしても、無駄な電力消費を防止し、視聴継続時間を長くできる。【解決手段】放送信号を受信可能であるとともに、少なくとも電池からの給電により動作する装置であって、放送波を選局する選局部１０２と、選局部１０２を制御してテレビ放送に割り当てられているチャンネル全てを順番にスキャンして受信可能なチャンネルを検索する全局サーチが実行可能な選局制御部１０３と、電池１１０の電力残量を検出する電力残量検出部１０９とを備え、電力残量検出部１０９で検出された電力残量に応じて、全局サーチを抑止するものである。【選択図】図１
2006352832.tif 000002
【特許請求の範囲】
【請求項１】
放送信号を受信可能であるとともに、少なくとも電池からの給電により動作する放送受信装置であって、
視聴可能なチャンネルの検索動作が可能なチャンネル検索手段と、
前記チャンネル検索手段で検索されたチャンネルに対応する放送波を選局する選局手段と、
前記電池の電力残量を検出する電力残量検出手段とを備え、
前記電力残量検出手段で検出された電力残量に応じて、前記検索動作を抑止することを特徴とする放送受信装置。
【請求項２】
前記チャンネル検索手段は、前記選局手段を制御して、放送に割り当てられているチャンネル全てを順番にスキャンして受信可能なチャンネルを検索する全局サーチが実行可能であり、
前記電力残量検出手段で検出された電力残量が、第１の所定電力残量値未満のときは前記全局サーチを抑止する請求項１記載の放送受信装置。
【請求項３】
前記チャンネル検索手段は、前記選局手段が現在選択しているチャンネルに対して受信可能な隣チャンネルを検索する次局サーチを実行可能であり、
前記電力残量検出手段で検出された電力残量が第２の所定電力残量値未満のとき、前記次局サーチを抑止する請求項１に記載の放送受信装置。
【請求項４】
前記チャンネル検索手段におけるチャンネル選択動作を実行するか否かを選択入力可能な操作手段を備え、
前記電力残量検出手段により検出された電力残量が所定電力残量未満であり、かつ前記操作手段でチャンネル選択動作を実行しないと選択入力されたとき、前記検索動作を抑止する請求項１記載の放送受信装置。
【請求項５】
前記チャンネル検索手段は、前記選局手段を制御して、放送に割り当てられているチャンネル全てを順番にスキャンして受信可能なチャンネルを検索する全局サーチが実行可能であり、
前記電力残量検出手段で検出された電力残量が、第１の所定電力残量値未満であり、かつ前記操作手段によりチャンネル選択動作を実行しないと選択入力されたとき、前記全局サーチを抑止する請求項４記載の放送受信装置。
【請求項６】
前記チャンネル検索手段は、前記選局手段が現在選択しているチャンネルに対して受信可能な隣チャンネルを検索する次局サーチを実行可能であり、
前記電力残量検出手段で検出された電力残量が、第２の所定電力残量値未満であり、かつ前記操作手段によりチャンネル選択動作を実行しないと選択入力されたとき、前記次局サーチを抑止する請求項４記載の放送受信装置。
【発明の詳細な説明】
【技術分野】
【０００１】
本発明は、テレビ信号を受信可能なテレビ受像機等の放送受信装置に関する。特に、携帯に適した電力源で駆動可能な放送受信装置に関する。
【背景技術】
【０００２】
テレビ放送の一種であるデジタルテレビ放送は、２０００年１２月に放送開始されたＢＳデジタルテレビ放送を皮切りに、２００３年１２月には地上デジタルテレビ放送開始で本格化した。デジタルテレビ放送は、映像、音声の高品質化のほかに、多チャンネル化への対応、データ放送等文字データの提供を特徴としている。また、地上波デジタルテレビ放送では、１個のチャンネルの中に、据置型テレビ受像機向けの高品質画像と、携帯型テレビ受像機向けの簡易画像とを並列に送信することが可能であり、今後携帯型テレビ受像機によるテレビ視聴の需要がますます高くなると予想される。
【０００３】
日本におけるデジタル放送については、ＡＲＩＢ（Association of Radio Industries and Businesses；電波産業会）が規格化を行っている。ＡＲＩＢでは、規格に基づいた運用規定を技術資料（Technical Report）の形でまとめている。地上波デジタルテレビ放送の運用規定については、「ＡＲＩＢ  ＴＲ−Ｂ１４」に記載されている。
【０００４】
図６は、特許文献１に開示された内容に基づく、一般的なデジタルテレビ放送受像端末のブロック図である。
【０００５】
図６に示すように、アンテナ５０１を介して受信したデジタルテレビ放送波に対し、選局部５０２は、選局制御部５０３で指定されたチャンネルに対応する放送波を抽出、復調してトランスポートストリームを取得する。ストリーム分離部５０４は、選局部５０２で取得されたトランスポートストリームから、少なくともビデオストリーム、オーディオストリームを分離する（デジタル放送ではほかにデータ放送のストリーム等も多重化されている場合があるが、ここでは省略する）。
【０００６】
ビデオデコーダ５０５は、ストリーム分離部５０４で分離されたビデオストリームをデコードしてビデオデータを取得し、ビデオ出力部５０６（モニタなど）に供給する。その結果、ビデオデータがビデオ出力部５０６を介して出力される。
【０００７】
同様にオーディオデコーダ５０７は、ストリーム分離部５０４で分離されたオーディオストリームをデコードしてオーディオデータを取得し、オーディオ出力部５０８（スピーカなど）に供給する。その結果、オーディオデータがオーディオ出力部５０８を介して出力される。
【０００８】
選局制御部５０３は、外部（使用者）から別のチャンネルへの選局要求がなされたとき、少なくともストリーム分離部５０４をリセットし、一時的に視聴を中断させる。その後、選局部５０２に対し、要求されたチャンネルに対するトランスポートストリームを取得し、ストリーム分離部５０４に供給する。これにより、選局後のチャンネルの視聴が可能となる。
【０００９】
図７は視聴可能なチャンネルと放送局との対応を表した図である。このような表を「チャンネルリスト」と呼ぶ。デジタルテレビ放送のトランスポートストリームは、各放送局から所定の搬送波周波数に多重されて発信される。各搬送波の周波数には所定のチャンネル（物理チャンネル）が割り当てられており、１チャンネルの周波数の帯域幅は約６ＭＨｚとなっている。２００５年４月現在、放送中の地上デジタルテレビ放送は、物理チャンネルで１３チャンネルから３０チャンネルまでのＵＨＦ帯を使用しているが、２０１１年のアナログ停波以後、デジタルテレビチャンネルが拡大（ＶＨＦ帯を含む）する可能性がある。また、日本以外の国においても、各国固有の規約により、チャンネルが割り当てられている。
【００１０】
リモコン番号は、これまでのアナログテレビ放送で使用されていたリモコンと同様のボタン構成で、デジタルテレビ放送を容易に選局可能とするために、物理チャンネルとは別個に割り当てられた番号で、アナログテレビ放送において長年使用されてきた、いわゆる「チャンネル」と可能な限り互換性が取れるように割り当てられている。なお、ここでチャンネルとはリモコン番号のことではなく、物理チャンネルを意味するものとする。
【００１１】
地上デジタルテレビ放送では、従来のアナログテレビ放送と同様、各放送局は原則として県域単位（大都市圏は近接する数都府県を一県域とみなす）でサービスを行うため、チャンネルリストも原則各県毎に定義される。従ってテレビ受像機の所在場所（県域）が変わったとき、これまで利用できたチャンネルリストが利用不可となるため、改めて視聴可能なチャンネルの検索（チャンネルサーチ）が必要である。チャンネルサーチには、全局サーチと次局サーチとがある。
【００１２】
全局サーチは、地上デジタルテレビ放送に割り当てられている物理チャンネル全てを順番にスキャンし、受信可能なチャンネルをリストアップして、現在地（テレビ受像機の所在場所）に対応したチャンネルリストを作成するサーチ方法である。すなわち、図７の例において、物理チャンネル１３〜３０全てを順番にスキャンし、放送波の受信が可能かどうかを判定し、受信が可能なものは放送局名とリモコン番号とを割り当てる。なお、放送局名の情報は、放送波に多重されている情報に含まれている放送局名情報を使用してもよいし、予めテレビジョン受像機内に放送局名を記憶させておいてもよい。
【００１３】
一方、次局サーチは、現在選択している物理チャンネルに対して、昇順もしくは降順の物理チャンネルを検索し、視聴可能なチャンネルが見つかった段階で当該チャンネルを選局し終了するサーチ方法である。図７に示したチャンネルリストを持つ地域で、例えばＧ局（物理チャンネル：２４）を視聴中、降順の次局サーチ指令を行ったとき、選局部４０２は２３チャンネルの受信を試みる。図中のチャンネルリストにおいては、２３チャンネルは放送局が割り当てられていないため、放送波の受信に失敗する。続いて２２チャンネルの受信を試みる。この動作を繰り返し、放送波の受信が可能なチャンネルを選局した時、次局サーチ動作を終了する。図７のチャンネルリストにおいては、１８チャンネルの受信を試みたとき、Ｆ局の放送波を受信できるため、当該チャンネルを選択して視聴できるようにし、次局サーチ動作を終了する。
【００１４】
なお、図７において、１３チャンネルと３０チャンネルは隣接しているとみなす。
【００１５】
また、上記において、或るチャンネルに放送局が割り当てられていない場合に、そのチャンネルの受信が失敗することを説明したが、放送局が割り当てられているチャンネルであっても、受信が失敗することがある。例えば、放送が休止されている場合や、ビルの陰などのように電波が弱い場所で選局する場合などに、本来視聴可能なチャンネルの受信に失敗することが考えられる。
【００１６】
その場合は、降順にチャンネルサーチを継続する。また、次局サーチは、物理チャンネルに基づくサーチのほかに、リモコン番号に基づくサーチも考えられる。
【００１７】
このようなチャンネルサーチ機能は、日本全国どこへでも手軽に携行可能な携帯型テレビ受像機においては必須の機能であり、またその操作も簡便であることが望まれる。
【００１８】
また、携帯型テレビ受像機は、１００Ｖ商用電力よりも電池を使用することが多いため、小型軽量でかつ高電圧の電池で駆動することが要求される。このような要件を満たせば、充電式電池のほか、乾電池などの一次電池でも適用可能である。また、電池の充電は１００Ｖ商用電力を用いる方法のほかに、太陽光などの自然エネルギーを利用する方法も可能である。
【特許文献１】特開２００２−３５９７９１号公報
【発明の開示】
【発明が解決しようとする課題】
【００１９】
しかしながら、これまで説明した携帯型テレビ受像機では、以下のような課題がある。
【００２０】
チャンネルサーチ中、選局部５０２は、所定のチャンネル設定、検波、および視聴可能性の判断を行うとともに、視聴可能であった場合は、放送波に多重されているチャンネル情報（ＥＰＧなどの番組情報も含む）の取得およびメモリへの更新等を行う。よって、固定のチャンネルを定常的に視聴している場合と比較して、より多くの電力を消費する。特に、将来的にチャンネル数が増えることが想定され、さらに消費電力が増える可能性がある。
【００２１】
また、チャンネルサーチ中は、いかなるチャンネルの放送も視聴することができない（アンテナ、選局部を複数持てば、チャンネルサーチ中の視聴も可能となるが、コストが大きくなるという問題がある）。
【００２２】
また、携帯型テレビ受像機では、チャンネルサーチを行うための操作は簡便であることが望ましいことを前に述べた。しかしそれゆえに、使用者が誤ってチャンネルサーチを実行してしまう可能性が極めて高くなる。使用者がテレビ視聴中に、意図しないチャンネルサーチを実行してしまうと、選局部５０２がチャンネルサーチのために使用されるため、それまで視聴していた番組が視聴できなくなるとともに、無駄な電力が消費されて最終的に電池の電力残量（以下、電池残量と記す）に基づく視聴可能時間が短くなってしまうという問題点が生じる。
【００２３】
たとえ、意図せず実行してしまったチャンネルサーチを途中で中断しても、元のチャンネルを視聴するために再度チャンネル合わせを行う必要があり、消費電力の浪費という点では変わらない。
【００２４】
上記誤動作は、電池残量が僅少である場合、より切実な問題となる。すなわち、電池残量が十分大きい場合は、使用者が帰宅するなどして充電が可能になる環境に移行するまでの猶予時間が十分あって、テレビ視聴を継続できるが、電池残量僅少の場合は、上記充電可能な環境へ移行するまでに電池残量がゼロになり、視聴継続が不可となる可能性が極めて高い。通常のテレビ放送は、視聴不可能であった期間の内容について、さかのぼって視聴することが極めて困難なメディアであるため、視聴継続性を確保することが重要である。
【００２５】
なお、特許文献１には、商用電力および電池双方で駆動するデジタル放送受信装置で、電池から電力が供給されている場合は、選局時に行うＥＰＧ等番組情報更新の動作を制限する技術が開示されている。しかしながら、上記技術では電池から電力が供給されているとき、電池残量が十分大きい場合であっても、選局動作に制限がかかることになり、電池で駆動させる機会が多い携帯型テレビ受像機では使い勝手が悪いという問題点がある。
【００２６】
本発明は、上記の問題点を鑑み、使用者が意図しないチャンネル選択操作が入力されたとしても、無駄な電力消費を防止し、視聴継続時間を長くすることができる放送受信装置を提供するものである。
【課題を解決するための手段】
【００２７】
上記目的を達成するために本発明の放送受信装置は、放送信号を受信可能であるとともに、少なくとも電池からの給電により動作する放送受信装置であって、視聴可能なチャンネルの検索動作が可能なチャンネル検索手段と、前記チャンネル検索手段で検索されたチャンネルに対応する放送波を選局する選局手段と、前記電池の電力残量を検出する電力残量検出手段とを備え、前記電力残量検出手段で検出された電力残量に応じて検索動作を抑止するものである。
【発明の効果】
【００２８】
本発明の放送受信装置よれば、電池の電力残量が少ないとき検索動作を抑止することで、無駄な消費電力を抑え、視聴継続時間が短縮されてしまうことを防止することができる。
【００２９】
また、電池残量が十分大きい場合や商用電源からの給電の場合は、選局動作に制限がかからないため、使い勝手を損なうこともない。
【発明を実施するための最良の形態】
【００３０】
本発明の放送受信装置において、前記チャンネル検索手段は、前記選局手段を制御して、放送に割り当てられているチャンネル全てを順番にスキャンして受信可能なチャンネルを検索する全局サーチが実行可能であり、前記電力残量検出手段で検出された電力残量が、第１の所定電力残量値未満のときは全局サーチを抑止する構成とすることができる。
【００３１】
また、前記チャンネル検索手段は、前記選局手段が現在選択しているチャンネルに対して受信可能な隣チャンネルを検索する次局サーチを実行可能であり、前記電力残量検出手段で検出された電力残量が第２の所定電力残量値未満のとき、次局サーチを抑止する構成とすることができる。
【００３２】
また、前記チャンネル検索手段におけるチャンネル選択動作を実行するか否かを選択入力可能な操作手段を備え、前記電力残量検出手段により検出された電力残量が所定電力残量未満であり、かつ前記操作手段でチャンネル選択動作を実行しないと選択入力されたとき、検索動作を抑止する構成とすることができる。
【００３３】
この構成において、前記チャンネル検索手段は、前記選局手段を制御して、放送に割り当てられているチャンネル全てを順番にスキャンして受信可能なチャンネルを検索する全局サーチが実行可能であり、前記電力残量検出手段で検出された電力残量が、第１の所定電力残量値未満であり、かつ前記操作手段によりチャンネル選択動作を実行しないと選択入力されたとき、全局サーチを抑止する構成とすることができる。
【００３４】
また、前記チャンネル検索手段は、前記選局手段が現在選択しているチャンネルに対して受信可能な隣チャンネルを検索する次局サーチを実行可能であり、前記電力残量検出手段で検出された電力残量が、第２の所定電力残量値未満であり、かつ前記操作手段によりチャンネル選択動作を実行しないと選択入力されたとき、次局サーチを抑止する構成とすることができる。
【００３５】
（実施の形態１）
図１は、実施の形態１におけるデジタルテレビ放送受信機のブロック図である。なお、本実施の形態では、放送受信装置の一例として、デジタルテレビ放送受信機を挙げて説明を行うが、これはあくまで一例であり、アナログテレビ放送受信機や、ラジオ放送を受信可能な機器などの場合も、同様に本実施の形態を適用可能である。
【００３６】
図１において、アンテナ１０１は、放送波を受信可能である。本実施の形態のデジタルテレビ受信装置の場合、地上デジタル放送を受信可能な装置であるため、アンテナ１０１にて地上デジタル放送の放送波を受信することができる。地上デジタル放送の放送波は、１チャンネルあたり所定の帯域幅を有するブロック（セグメント）を例えば１３個組み合わせて、トランスポートストリームとして送信される。
【００３７】
選局部１０２は、アンテナ１０１で受信した放送波から所望のチャンネルを選局しトランスポートストリームとして取得する。選局制御部１０３からの制御に基づき選局動作を行う。この選局部１０２がいわゆるチューナ及び復調部に相当する。本実施の形態では、地上デジタルチューナに相当する。
【００３８】
操作部１１１は、使用者において本装置の各種操作が可能で、本実施の形態の構成では少なくとも、チャンネル選局操作やチャンネルサーチ指令操作などを行うことができる。この操作部１１１の例としては、テレビ受信機に装備されたチャンネルボタンや、テレビ受信機を遠隔操作可能なリモコン（図示せず）に装備されたチャンネルボタンなどがある。
【００３９】
選局制御部１０３（チャンネル検索手段）は、操作部１１１において操作入力された選局指令に基づき選局部１０２に対して選局制御（チャンネル選択動作）を行う。選局制御部１０３は、選局制御の他に、全局サーチや次局サーチなどのチャンネルサーチ制御、ストリーム分離部１０４に対するリセット制御、電池残量検出部１０９に対する電池残量検出制御などを行う。各制御の具体動作については後述する。
【００４０】
ストリーム分離部１０４は、選局部１０２において選局し取得したトランスポートストリームを、少なくともビデオストリームとオーディオストリームとに分離する。デジタル放送では、これらのストリームの他にデータ放送のストリーム等も多重化されている場合があるが、ここでは詳細説明は省略する。
【００４１】
ビデオデコーダ１０５は、ストリーム分離部１０４で分離されたビデオストリームを映像信号にデコードする。デコード後の映像信号は、例えばアナログ映像信号である。
【００４２】
映像信号処理部１１２は、ビデオデコーダ１０５でデコードされた映像信号をビデオ出力部１０６において表示可能な映像信号に信号処理する。信号処理としては信号レベル調整や画像サイズ調整や画質調整などがあるが、処理内容は特に限定されない。なお、映像信号処理部１１２は必須の構成ではない。
【００４３】
ビデオ出力部１０６は、映像信号処理部１１２からの映像信号を出力可能で、本実施の形態では映像信号を表示出力可能な表示部で構成した。表示部としては、例えば液晶モニタなどが考えられるが、他の表示部で構成してもよい。なお、本実施の形態のビデオ出力部１０６は表示部で構成したが、映像信号を外部へ出力可能な出力端子で構成してもよい。出力端子に接続可能な外部機器は、例えばモニタなどの表示装置などがある。
【００４４】
オーディオデコーダ１０７は、ストリーム分離部１０４で分離されたオーディオストリームを音声信号にデコードする。デコード後の音声信号は、例えばアナログ音声信号である。
【００４５】
音声信号処理部１１３は、オーディオデコーダ１０７でデコードされた音声信号を、オーディオ出力部１０８で音声出力可能な音声信号に信号処理する。信号処理としてはノイズ除去や信号レベル調整などがあるが、処理内容は特に限定しない。また、音声信号処理部１１３は、必須の構成ではない。
【００４６】
オーディオ出力部１０８は、音声信号処理部１１３からの音声信号を音声出力可能で、例えばスピーカなどの音声出力部に相当する。なお、本実施の形態のオーディオ出力部１０８は音声出力部で構成したが、出力端子で構成してもよい。出力端子に接続可能な外部機器は、アンプなどである。
【００４７】
電池１１０は、本装置に電源供給するものであり、乾電池でも充電池でもよいが、本実施の形態では小型軽量でかつ高出力である充電池を用いた。なお、本実施の形態では、電池１１０からの給電により動作する構成としているが、電池１１０に加えて商用電源を供給可能な構成としてもよい。また、充電式電池のほか、乾電池などの一次電池でも適用可能である。また、電池の充電は１００Ｖ商用電力を用いる方法のほかに、太陽光などの自然エネルギーを利用する方法も可能である。また、電池１１０は、燃料電池で構成してもよい。
【００４８】
電池残量検出部１０９は、電池１１０の電力残量を検出するものであり、電池１１０における電源電圧を測定する等により、電池残量を検出することができる。また、電池１１０の残量検出動作は、選局制御部１０３からの指令に基づき行ってもよいし、選局制御部１０３からの指令に関わらず常時残量検出動作を実行してもよい。なお、電池１１０が燃料電池で構成されている場合は、燃料電池における燃料の残量に基づいて電池残量を検出する。
【００４９】
ＯＳＤ制御部１１４は、選局制御部１０３からの制御によりビデオ出力部１０６にメッセージを表示させるものである。本実施の形態では、映像信号に、別途生成したキャラクタ信号（オンスクリーンディスプレイ信号。以下「ＯＳＤ信号」と記す）を重畳させる構成としたが、これに限定されるものではない。
【００５０】
以上のように構成された本実施の形態について、以下その動作について説明する。
【００５１】
使用者が操作部１１１を操作して、所望のチャンネルを選局するように操作を行うと、操作部１１１からの選局指令は選局制御部１０３に入力される。選局制御部１０３はその選局指令に基づき、選局部１０２に対して、使用者により指示されたチャンネルを選局するよう制御する。
【００５２】
一方、アンテナ１０１を介して受信した地上デジタル放送の放送波は、選局部１０２に供給される。選局部１０２はあらかじめ選局制御部１０３により指示されたチャンネルに対する放送波を抽出して復調し、当該チャンネルの放送ストリーム（以下、トランスポートストリームと記す）を取得する。
【００５３】
選局部１０２で取得されたトランスポートストリームは、ストリーム分離部１０４に供給される。ストリーム分離部１０４では、少なくともトランスポートストリームに多重されているビデオストリームおよびオーディオストリームが分離される（トランスポートストリームには、他にもデータ放送ストリーム、字幕ストリーム等が多重されていることがあるが、ここでは説明を省略する）。
【００５４】
ビデオストリームは、ビデオデコーダ１０５に供給されて映像信号にデコードされ、映像信号処理部１１２へ入力される。映像信号処理部１１２では、ビデオ出力部１０６にて表示可能な映像信号になるように、信号処理を行う。信号処理には、信号レベル調整、画質調整、映像サイズ調整などである。映像信号処理部１１２からの映像信号は、ビデオ出力部１０６に入力され、液晶ディスプレイなどの表示部に表示される。
【００５５】
同様にオーディオストリームは、オーディオデコーダ１０７に供給されて音声信号にデコードされ、音声信号処理部１１３に入力される。音声信号処理部１１３では、オーディオ出力部１０８にて音声出力可能な音声信号に信号処理を行う。音声信号処理部１１３から出力される音声信号は、オーディオ出力部１０８に入力され、スピーカなどの音声出力部によって音声出力される。
【００５６】
本実施の形態では、ビデオ出力部１０６は液晶モニタなどの表示部で構成し、オーディオ出力部１０８はスピーカで構成したので、受信した放送番組の映像信号が表示部に表示され、音声信号がスピーカから出力される。この構成により、映像音声を視聴することができる。
【００５７】
また、本装置は、家庭用１００Ｖ電源などの商用電源や、乾電池や充電などから構成される電池より給電されて駆動する。以下、電池から給電される時の動作について説明する。
【００５８】
本装置は、電気的に接続された電池１１０により給電されて、各部が動作する。電池１１０の電力残量は、選局制御部１０３からの指令に基づいて電池残量検出部１０９が検出する。なお、本実施の形態の電池残量検出部１０９では、選局制御部１０３からの指令に基づいて電池１１０の残量検出を行うように構成しているが、選局制御部１０３からの指令有無に関わらず、常時（連続的あるいは間欠的）残量検出を行う構成でもよい。なお、本装置が商用電源と接続されている場合は、電池残量検出部１０９において電力値を検出できるようにしてもよく、その際電池残量検出部１０９において検出される電力残量は、十分大きな数値もしくは無限大とみなす。また、本装置が商用電源と接続されている場合は、電池１１０の残量に関わらず、全局サーチを行うようにしてもよい。
【００５９】
次に、全局サーチの動作について、図２のフローチャートを交えて説明する。なお、全局サーチや次局サーチなどの検索動作（チャンネルサーチ）の基本動作については、前述したので本項での説明は省略する。
【００６０】
使用者が操作部１１１を操作して、全局サーチの指示を行ったとき（ステップＳ２０１）、選局制御部１０３は電池残量検出部１０９に対して電池残量情報を要求する。電池残量検出部１０９は選局制御部１０３からの指令に基づき、電池１１０の電力残量を検出する。電池残量検出部１０９は、検出した電力残量を電池残量情報として選局制御部１０３へ送り、選局制御部１０３はこれを取得する（ステップＳ２０２）。選局制御部１０３は、電池残量検出部１０９で検出した電力残量値と所定値（第１の所定電力残量値）とを比較し（ステップＳ２０３）、電力残量値が所定値以上の場合は、選局部１０２に対して全局サーチを指示する。このとき、少なくともストリーム分離部１０４をリセットし（ステップＳ２０４）、一時的に映像音声の視聴を中断させる。
【００６１】
ここで、選局部１０２で受信したストリームデータや、ビデオデコーダ１０５やオーディオデコーダ１０７でデコードされた映像音声信号などは、一時的にバッファメモリ（不図示）に格納されて、ストリーム分離処理やデコード処理などが行われる。このため、全局サーチ終了後、バッファメモリに残っている古い映像音声（全局サーチの前に受信していた放送信号に基づく映像音声）やノイズが出力される可能性がある。これを回避するために、本実施の形態では、ステップＳ２０４においてバッファメモリをリセットしてから全局サーチを行うように処理しているため、不要な映像音声やノイズが出力されるのを防止している。なお、リセット処理は、必須の処理ではない。
【００６２】
次に、選局部１０２が全局サーチ動作を開始する（ステップＳ２０５）。全局サーチ終了後は、ＯＳＤ制御部１１４によって作成されたチャンネルリスト（例えば図７参照）をビデオ出力部１０６へ表示させてもよいし、全局サーチ直前に視聴していたチャンネルを再選択して視聴を再開してもよい。
【００６３】
一方、電力残量値が所定値未満の場合は、選局制御部１０３は、選局部１０２に対する全局サーチ指示を行わず、選局部１０２は全局サーチを実行しない。このとき、使用者に対して、電池残量が僅少のため全局サーチが不可能である旨のメッセージをＯＳＤ制御部１１４で生成して、ビデオ出力部１０６に表示させて通知してもよい（ステップＳ２０６）。なお、ステップＳ２０６におけるメッセージ表示による通知は、必ずしもビデオ出力部１０６に視覚的に表示させるものに限らず、発光ダイオードを点灯させたり、警告音としてオーディオ出力部１０８から出力するなど、様々な方法が考えられる。さらに、メッセージの表示を行わず、操作部１１１において入力される全局サーチ指示を無効にするようにしてもよい。
【００６４】
なお、ステップＳ２０３の判断ステップにおける判断基準となる所定値（第１の所定電力残量値）は、低すぎると全局サーチ中に電池１１０の残量電力がゼロになってしまい、全局サーチ後にテレビ放送の視聴もできなくなってしまう。よって、所定値は全局サーチ動作に必要な電力以下に設定されていることは勿論、全局サーチ後に或る程度の時間、テレビ放送を視聴可能なように所定値を高くすることが望ましい。例えば、全局サーチ後に約３０分間テレビ放送を視聴できるような値としてもよい。すなわち、全局サーチに必要な電力をＷｓ、所定時間（例えば３０分）テレビ放送を視聴するのに必要な電力をＷｔ、所定値（第１の所定電力残量値）をＷｃとしたとき、
Ｗｃ≧（Ｗｔ＋Ｗｓ）
が成り立つようにＷｃの値を設定する。
【００６５】
通常、全局サーチの場合、一つのチャンネルにつき視聴不可であることを判定するために、規格上少なくとも２秒要する。よって、１３チャンネルから３０チャンネルまでの１８チャンネル分を全局サーチするのに、理論上は３６秒前後を要する。
【００６６】
また、アナログテレビ放送は２０１１年に完全停止が予定され、その後はこれまでアナログＵＨＦ放送が使用していた３１チャンネルから６２チャンネルが地上デジタル放送の帯域に割り当てられる可能性がある。よって、１３チャンネルから６２チャンネルまでの全局サーチを実施すると、視聴可否判定のみで約１００秒要することになる。これに、選局時の周波数再設定動作、視聴可能なチャンネルのチャンネル情報、番組情報の取得、更新の時間が必要である。
【００６７】
なお、上記サーチ処理に要する時間は、理論上あるいは規格上の数値であって、実際はこの時間よりも短い時間でサーチ処理が完了する場合が多い。
【００６８】
全局サーチを実行している間、使用者はテレビ放送をまったく視聴できず、さらに全局サーチ中は通常視聴中より電力消費量が大きくなるので、全局サーチを行う場合よりも電池の電力残量の減少速度が速くなり、最終的に視聴可能時間が短くなってしまう。
【００６９】
以上説明したように実施の形態１では、電池残量が所定値未満の場合は、チャンネルサーチを実行させないことにより、使用者の意図しないチャンネルサーチ動作により視聴可能時間を必要以上に短くすることを防止する。
【００７０】
なお、本実施の形態では、全局サーチを例として説明したが、次局サーチの場合でも同様である。次局サーチの場合は、次局サーチの実行可否を判定する所定値（第２の所定電力残量値）を、全局サーチの場合（第１の所定電力残量値）と同値としてもよいが、異なる値に設定することも可能である。すなわち、次局サーチの方が全局サーチに比べてサーチ時間が短いため、サーチ時の消費電力も次局サーチ時の方が少ない。よって、図２のステップＳ２０３における所定値の値を、全局サーチ時よりも次局サーチ時の方が低い値となるように設定することで、次局サーチを効率よく実行させることができる。
【００７１】
また、電池残量を判断するための所定値は、環境温度や電池の種類等に応じて変更させてもよい。
【００７２】
また、本発明はチャンネルサーチおよび切換の際、アナログテレビ放送に比べてより電力消費が大きいデジタル放送受信機において、特に効果がある。
【００７３】
なお、選局制御部１０３、ストリーム分離部１０４、ビデオデコーダ１０５、オーディオデコーダ１０７、映像信号処理部１１２、音声信号処理部１１３は、マイクロコンピュータなどの半導体素子で１チップ化してもよい。また、オーディオデコーダ１０７と音声信号処理部１１３のみを、マイクロコンピュータなどの半導体素子で１チップ化するなど、各回路を任意に組み合わせて１チップ化してもよい
（実施の形態２）
図３は、実施の形態２のデジタルテレビ放送受像機のブロック図である。図４は、電池残量に基づいてチャンネルサーチを行う際の制御フローを示している。図５はデジタルテレビ放送受像機の本体外観を示す模式図である。
【００７４】
図４において、ＯＳＤ制御部１１４は、選局制御部１０３からの制御により、ビデオ出力部１０６にメッセージを表示させるものである。本実施の形態では、図５Ａ及び図５Ｂに示すように、放送波の映像信号に、別途生成したキャラクタ信号（オンスクリーンディスプレイ信号。以下「ＯＳＤ信号」と記す）を重畳させる構成としたが、これに限定されるものではない。
【００７５】
図５において、デジタルテレビ放送受像機の本体４０１には、主面に映像信号を映出する表示部４０２が配されている。表示部４０２は、例えば液晶ディスプレイより構成される。
【００７６】
操作ボタン４０３は、図３における操作部１１５に含まれている。操作ボタン４０３は、本体４０１に配され、使用者が本装置の各種機能を操作することができる。なお、説明の便宜上、図５Ａには第１の操作ボタン４０３ａと第２の操作ボタン４０３ｂの２つの操作ボタンのみ表記しているが、本来はこれらの他に各種操作ボタンを搭載している。
【００７７】
また、操作ボタン４０３により、使用者がチャンネルサーチの実行要否を選択することができる。図中の構成では、「チャンネルサーチを行いますか？」とのメッセージ表示に対して、第１の操作ボタン４０３ａを操作すると「はい」、第２の操作ボタン４０３ｂを操作すると「いいえ」という応答入力をすることができる。また、操作ボタン４０３は、通常は他の機能が割り当てられているが、図５Ａに示すようにチャンネルサーチの要否を使用者に判断させる際のみ、前述のように「はい」と「いいえ」の応答入力が割り当てられる。
【００７８】
選択スイッチ４０４は、本体４０１に配され、操作ノブ４０４ａを矢印Ａ方向へスライド可能ないわゆるスライドスイッチで構成されている。本実施の形態では、操作ノブ４０４ａを図中左側へスライドさせるとチャンネルサーチ抑止設定、図中右側へスライドさせるとチャンネルサーチ許可設定とすることができる。
【００７９】
なお、本実施の形態では、図５Ａに示すような押しボタンか、図５Ｂに示すようなスライドスイッチで構成しているが、必ずしもこの構成に限定されるものではなく、チャンネルサーチの要否を使用者が選択することができれば、他の構成であってもよい。
【００８０】
以上のように構成された実施の形態２について、以下実施の形態１と異なる部分を中心に説明する。
【００８１】
使用者が選局制御部１０３に対して、全局サーチの指示を行ったとき、電池の電力残量値が所定値未満の場合、選局制御部１０３はＯＳＤ制御部１１４に対して所定のメッセージを映像化したＯＳＤ信号を生成するよう制御する。ＯＳＤ制御部１１４は、選局制御部１０３からの制御により、ＯＳＤ信号を生成し映像信号処理部１１２へ出力する。映像信号処理部１１２は、ＯＳＤ制御部１１４からのＯＳＤ信号を、ビデオ出力部１０６へ表示させるよう制御し、これによりビデオ出力部１０６はＯＳＤ信号を表示させることができる。
【００８２】
次に、全局サーチの動作について、図６のフローチャートを交えて説明する。なお、全局サーチや次局サーチなどの検索動作（チャンネルサーチ）の基本動作については前述したので、詳しい説明は省略する。
【００８３】
使用者が操作部１１５を操作して、全局サーチの指示を行ったとき（ステップＳ４０１）、選局制御部１０３は電池残量検出部１０９に対して電池残量情報を要求する。電池残量検出部１０９は選局制御部１０３からの指令に基づき、電池１１０の電力残量を検出する。電池残量検出部１０９は、検出した電力残量を電池残量情報として選局制御部１０３へ送り、選局制御部１０３はこれを取得する（ステップＳ４０２）。
【００８４】
選局制御部１０３は、電池残量検出部１０９で検出した電力残量値と所定値（第１の所定電力残量値）とを比較し（ステップＳ４０３）。電力残量値が所定値以上の場合は、選局部１０２に対して全局サーチを指示し、電力残量値が所定値未満の場合は、メッセージをビデオ出力部１０６に表示させる（ステップＳ４０４）。
【００８５】
ビデオ出力部１０６に表示されるメッセージは、例えば図５Ａや図５Ｂに示すように、全局サーチをするか否かを使用者に選択させる内容である。このような表示に対して、使用者は操作部１１５を操作して、全局サーチをするか否かを選択する（ステップＳ４０５）。
【００８６】
使用者が、全局サーチを実行しない指示入力を行った場合は、処理を終了する。
【００８７】
使用者が、全局サーチを実行する指示入力を行った場合、あるいは電力残量値が所定値以上の場合（ステップＳ４０３の判断結果）は、少なくともストリーム分離部１０４をリセットし（ステップＳ４０６）、一時的に映像音声の視聴を中断させる。なお、ストリーム分離部１０４におけるリセット処理については、実施の形態１において説明したので省略する。
【００８８】
次に、選局部１０２が全局サーチ動作を開始する（ステップＳ４０７）。全局サーチ終了後は、作成したチャンネルリスト（例えば図７参照）をビデオ出力部１０６へ表示させてもよいし、全局サーチ直前に視聴していたチャンネルを再選択して視聴を再開してもよい。
【００８９】
ビデオ出力部１０６に表示させるメッセージの一例としては、図５Ａに示すようなものがある。図５Ａに示すように、表示部４０２にはＯＳＤ制御部１１４から出力されるＯＳＤ信号（図中の「チャンネルサーチを行いますか？」「はい」「いいえ」の文字情報）が表示される。また、ＯＳＤ信号は、ブルーバックなどの単色映像上にＯＳＤ信号のみを表示させてもよいし、現在視聴中の映像信号に重畳させてＯＳＤ信号を表示させてもよい。
【００９０】
この時、操作ボタン４０３は、図５Ａに示すメッセージに応答が可能な機能が割り当てられる。具体的には、第１の操作ボタン４０３ａに「はい」を入力可能な機能が割り当てられ、第２の操作ボタン４０３ｂに「いいえ」を入力可能な機能が割り当てられる。使用者は、第１の操作ボタン４０３ａまたは第２の操作ボタン４０３ｂのいずれかを操作することで、操作部１１５から選局制御部１０３に使用者の操作内容が通知される。使用者が第１の操作ボタン４０３ａを操作した場合は、選局制御部１０３は選局部１０２を制御して全局サーチを行い、第２の操作ボタン４０３ｂを操作した場合は、全局サーチを行わない。
【００９１】
また、図５Ｂは、チャンネルサーチを行うか否かをスライドスイッチにて設定可能にした構成を示している。本構成では操作ノブ４０４ａを図中左側へスライドさせるとチャンネルサーチ抑止設定、図中右側へスライドさせるとチャンネルサーチ許可設定とすることができる。このような構成では図５Ａに示すようなメッセージの表示の有無に関わらず、予め使用者によってチャンネルサーチの要否を設定することができる。
【００９２】
以上説明したように実施の形態２では、電池残量が僅少のときに、チャンネルサーチを行う意図があるか否かを使用者に判断入力させることにより、使用者の意図を反映し、チャンネルサーチによる電力の浪費を防止することができる。
【００９３】
また、本実施の形態では、デジタルテレビ放送を例に挙げたが、アナログテレビ放送であっても同様の効果を得ることができる。
【００９４】
また、本実施の形態の放送受信装置は、放送波を受信可能な装置であればよく、テレビ受信機の他にラジオ受信機などを含むものとする。
【産業上の利用可能性】
【００９５】
本発明にかかる放送受信装置は、例えば、電池で駆動する携帯型デジタルテレビ受像機に有用であり、意図しないチャンネルサーチ動作による電力の浪費防止に有効である。また、大型バッテリからの給電にて動作する車載用テレビ受像機にも応用可能である。
【図面の簡単な説明】
【００９６】
【図１】本発明の実施の形態１における放送受信装置の構成を示すブロック図
【図２】実施の形態１における全局サーチ時の選局制御部の動作を説明するためのフローチャート
【図３】実施の形態２における放送受信装置の構成を示すブロック図
【図４】実施の形態２における全局サーチ時の選局制御部の動作を説明するためのフローチャート
【図５Ａ】実施の形態２における放送受信装置の具体例について説明した模式図
【図５Ｂ】実施の形態２における放送受信装置の具体例について説明した模式図
【図６】従来の放送受信装置の構成を示すブロック図
【図７】チャンネルリストの一例を示す図
【符号の説明】
【００９７】
１０１  アンテナ
１０２  選局部
１０３  選局制御部
１０４  ストリーム分離部
１０５  ビデオデコーダー
１０６  ビデオ出力部
１０７  オーディオデコーダー
１０８  オーディオ出力部
１０９  電池残量検出部
１１０  電池
１１１  操作部
１１２  映像信号処理部
１１３  音声信号処理部
【図１】
2006352832.tif 000003
【図２】
2006352832.tif 000004
【図３】
2006352832.tif 000005
【図４】
2006352832.tif 000006
【図５Ａ】
2006352832.tif 000007
【図５Ｂ】
2006352832.tif 000008
【図６】
2006352832.tif 000009
【図７】
2006352832.tif 000010